Podtech/llm-jp-corpus-v4-ja_patent huggingface dataset:
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
少なくとも一つの推進システムおよび少なくとも一つのマイクロフォンに対応するノイズ信号のデータベースに基づいて、推進システム・セットを有する少なくとも一つのドローンのノイズ・シグネチャーを決定することによることを含め、前記推進システム・セットに供給される電圧の関数としてのノイズ・モデルを生成する段階と；
前記ノイズ・モデルに基づいてオーディオ信号における前記ドローンの前記ノイズ・シグネチャーを打ち消す段階とを含む、
方法。
【請求項２】
ノイズ・モデルを生成する前記段階が：
ノイズ信号のデータベースを記録する段階であって、前記ノイズ信号のそれぞれは、少なくとも一つの電気モーターおよび該電気モーターに結合された少なくとも一つのプロペラによって、該電気モーターに電圧が供給されている間に発されるノイズを表わし、それぞれの前記電気モーターに対応するノイズ信号は、一組の電圧のうちの各電圧（V）が前記電気モーターに供給されている間に発されるノイズを表わすノイズ信号を含み、前記一組の電圧はある電圧範囲にわたる、段階と；
前記ノイズのパラメトリック・モデルをVの関数として生成する段階とを含む、
請求項１記載の方法。
【請求項３】
マイクロフォン・アレイ・ビームフォーミングおよび風雑音削減の段階をさらに含む、請求項１記載の方法。
【請求項４】
前記ノイズ打ち消しは前記ドローン機上で行なわれ、その結果、さらなる処理のためにリモート位置に送信されるクリーンなマイクロフォン・フィードを生じる、請求項１記載の方法。
【請求項５】
前記ノイズ打ち消しは、リモート位置において、前記ドローンから前記リモート位置に送信された電圧情報を使って行なわれる、請求項１記載の方法。
【請求項６】
前記ドローンから送信される一つのチャネルが汚れたマイクロフォン・フィード・チャネルと指定され、前記ドローンから送信されるもう一つのチャネルが、各ドローン推進システムに関係した電圧フィードのそれぞれのための多重化されたデジタル信号を含むよう指定される、請求項５記載の方法。
【請求項７】
前記リモート位置は、複数のドローンからのノイズを打ち消すためにデータを総合する、請求項５記載の方法。
【請求項８】
前記ドローンから前記リモート位置に、無線の同期された手順において情報が送信し返される、請求項５記載の方法。
【請求項９】
前記無線の同期された手順が複数の経路について繰り返され、カメラ・ベースの追跡システムまたは全地球測位衛星追跡システムを使って前記複数のドローンの相対位置を推定することによることを含め時間整列方式が実装される、請求項８記載の方法。
【請求項１０】
前記ドローンまたは複数のドローンが、動き追跡に基づいて動的に再構成設定され、反射ターゲットを使って追跡される、請求項９記載の方法。
【請求項１１】
柔軟なサラウンド・マイクロフォン・アレイが作り出される、請求項８記載の方法。
【請求項１２】
カメラおよび俳優を意識するダイアログ記録が用いられて、カメラのパン／ズーム／視野情報をドローンの追跡と組み合わせて、映画、テレビジョンまたはマルチメディア・セットでダイアログを記録するために、カメラ・ビュー錐台の外で位置を記録することを最適化する、請求項８記載の方法。
【請求項１３】
前記推進システム・セットの各推進システムは、少なくとも一つの電気モーターおよび少なくとも一つのプロペラを有する、請求項１記載の方法。
【請求項１４】
請求項１３記載の方法を実行するための命令が記憶されている、非一時的な媒体であるコンピュータ可読媒体を有するコンピュータ・プログラム・プロダクト。
【請求項１５】
少なくとも一つのプロセッサと；
コンピュータ・プログラムが記憶されている、非一時的な媒体である少なくとも一つのメモリとを有する装置であって、前記コンピュータ・プログラムをもつ前記少なくとも一つのメモリは、前記少なくとも一つのプロセッサを用いて、当該装置に、少なくとも：
少なくとも一つの推進システムおよび少なくとも一つのマイクロフォンに対応するノイズ信号のデータベースに基づいて少なくとも一つのドローンのノイズ・シグネチャーを決定することによってノイズ・モデルを生成する段階と；
前記ノイズ・モデルに基づいてオーディオ信号における前記ドローンの前記ノイズ・シグネチャーを打ち消す段階とを実行させるよう構成されている、装置。
【請求項１６】
前記推進システムが少なくとも一つの電気モーターおよび少なくとも一つのプロペラを有する、請求項１５記載の装置。
【請求項１７】
少なくとも一つのユーザー設備（user  equipment）において使うための装置（apparatus）であって：
当該装置に少なくとも、
少なくとも一つの推進システムおよび少なくとも一つのマイクロフォンに対応するノイズ信号のデータベースに基づいて少なくとも一つのドローンのノイズ・シグネチャーを決定することによってノイズ・モデルを生成する段階と；
前記ノイズ・モデルに基づいてオーディオ信号における前記ドローンの前記ノイズ・シグネチャーを打ち消す段階とを実行させるよう適応された回路を有する、
装置。
【請求項１８】
前記推進システムが少なくとも一つの電気モーターおよび少なくとも一つのプロペラを有する、請求項１５記載の装置。
【請求項１９】
推進システム・セットおよびマイクロフォン・セットを有するドローンによって捕捉されるオーディオに対するノイズ削減を実行する方法であって、前記推進システム・セットは少なくとも一つの推進システムを含み、各推進システムは電気モーターを含み、前記マイクロフォン・セットは少なくとも一つのマイクロフォンを含み、当該方法は：
前記推進システム・セットの各電気モーターに供給される瞬時電圧を示す電圧データを提供する段階と；
前記電圧データに応答して、モデル化されたノイズを使って、前記ドローンの前記マイクロフォン・セットによって捕捉されたオーディオ信号に対するノイズ削減を実行する段階であって、前記モデル化されたノイズは、前記推進システム・セットの各モーターに供給される瞬時電圧の関数としての前記推進システムによって発されるノイズのモデルによって決定される、段階とを含む、
方法。
【請求項２０】
段階（ａ）は：
前記電圧データを示す少なくとも一つの信号を処理システムにおいて受領する段階と；
前記少なくとも一つの信号をパースして前記電圧データを識別する段階とを含む、
請求項１９記載の方法。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
ＩｇＧシステインプロテアーゼ活性を有し、配列番号４又は５の配列の変異体を含むポリペプチドであって、該変異体が：
（ａ）配列番号４又は５に対して少なくとも５０％同一であり；
（ｂ）前記変異体配列中の、配列番号３の１０２位に対応する位置にシステイン（Ｃ）
を有し；及び場合により
（ｃ）前記変異体配列中の、配列番号３の９２位、２７２位、２９４位及び２９６位に対応する位置に、それぞれ、リジン（Ｋ）、ヒスチジン（Ｈ）、アスパラギン酸（Ｄ）及びアスパラギン酸（Ｄ）を有し；
前記ポリペプチドは、ヒトＩｇＧの切断において、ＩｄｅＺよりも有効であり、及び／又は、ヒトＩｇＧの切断において、少なくともＩｄｅＳと同程度に有効である、ポリペプチド。
【請求項２】
配列番号４又は５の配列の前記変異体が：
（１）前記変異体中の、配列番号３の１３８位に対応する位置に、正に荷電したアミノ酸を有し、場合により、前記正に荷電したアミノ酸がアルギニン（Ｒ）又はリジン（Ｋ）であり；及び／又は
（２）前記変異体中の、配列番号３の１３９位に対応する位置に、正に荷電したアミノ酸を有し、場合により、前記正に荷電したアミノ酸がアルギニン（Ｒ）又はリジン（Ｋ）であり；及び／又は
（３）連続配列ＤＤＹＱＲＮＡＴＥＡ  ＹＡＫＥＶＰＨＱＩＴを含まず；及び／又は
（４）以下の改変：
ｉ．前記変異体中の、配列番号３の６４位及び６５位に対応する位置における、ロイシン（Ｌ）及びスレオニン（Ｔ）残基の欠失；
ｉｉ．前記変異体中の、配列番号３の７０位に対応する位置における、アルギニン（Ｒ）に代わるスレオニン（Ｔ）；
ｉｉｉ．前記変異体中の、配列番号３の７１位に対応する位置における、チロシン（Ｙ）の欠失；
ｉｖ．  前記変異体中の、配列番号３の７２位に対応する位置における、アスパラギン（Ｎ）に代わるグルタミン（Ｑ）；
ｖ．前記変異体中の、配列番号３の７３位に対応する位置における、アスパラギン（Ｎ）に代わるグリシン（Ｇ）；
ｖｉ．前記変異体中の、配列番号３の６７位に対応する位置における、グルタミン酸（Ｅ）に代わるアラニン（Ａ）；
ｖｉｉ．前記変異体中の、配列番号３の６８位に対応する位置における、グルタミン（Ｑ）に代わるアスパラギン（Ｎ）
の少なくとも１つを有する、請求項１に記載のポリペプチド。
【請求項３】
配列番号４又は５の配列の前記変異体が、それぞれ配列番号４又は５に対して少なくとも８０％、９０％、９５％又は９９％同一であり、及び／又は、同じアッセイにおいて測定した場合、前記ポリペプチドが、ＩｄｅＳよりも免疫原性が低く、好ましくはＩｄｅＺ又はＩｄｅＳ／Ｚよりも免疫原性が高くない、請求項１又は２に記載のポリペプチド。
【請求項４】
配列番号６〜２５のいずれか１つの配列を含むか、又はそれからなり、場合により、前記配列が、メチオニンをＮ末端に、及び／又はヒスチジンタグをＣ末端に、更に含む、上記請求項のいずれか１項に記載のポリペプチド。
【請求項５】
同じアッセイにおいて測定した場合、前記ポリペプチドが、ヒトＩｇＧの切断において、ＩｄｅＺよりも少なくとも２．０倍有効である、上記請求項のいずれか１項に記載のポリペプチド。
【請求項６】
ＩｄｅＳよりも免疫原性が低く、好ましくは、同じアッセイにおいて測定した場合、前記ポリペプチドの免疫原性が、ＩｄｅＳの免疫原性の８５％以下である、上記請求項のいずれか１項に記載のポリペプチド。
【請求項７】
上記請求項のいずれか１項のポリペプチドをコードする核酸配列を含む、ポリヌクレオチド又は発現ベクター。
【請求項８】
請求項７のポリヌクレオチド又は発現ベクターを含む宿主細胞であって、好ましくは細菌細胞、最も好ましくはＥ．コリの細胞である、宿主細胞。
【請求項９】
請求項１〜６のいずれか１項に記載のポリペプチド及び少なくとも１つの医薬的に許容可能な担体又は希釈剤を含む、組成物。
【請求項１０】
請求項１〜６のいずれか１項に記載のポリペプチドを有効成分として含む、医薬組成物。
【請求項１１】
被験体における疾患又は状態を予防又は治療するための方法において使用するための医薬製剤の製造における、請求項１〜６のいずれか１項に記載のポリペプチドの使用。
【請求項１２】
前記疾患又は状態が、病原性ＩｇＧ抗体によって全体的又は部分的に媒介される疾患又は状態であり、好ましくは、前記疾患又は状態が表Ｄに列挙されている、請求項１１に記載の使用。
【請求項１３】
ＩｇＧを切断するためのエクスビボの方法であって、ＩｇＧシステインプロテアーゼ活性が生じることを可能にする条件下で、ＩｇＧを含有する試料と、請求項１〜６のいずれか１項に記載のポリペプチドとを接触させることを含む、方法。
【請求項１４】
Ｆｃ及びＦａｂ断片を生成するために実施される、及び／又は、試料が、請求項１２に記載の疾患又は状態に罹患している被験体から採取された血液試料である、請求項１３に記載のエクスビボの方法。
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
システムであって、
開放第１端部及び開放第２端部を備えた複数の個別キャビティを備えたアレイと、
キャビティに関連付けられた電磁放射線吸収材料と、
電磁放射線を前記電磁放射線吸収材料に伝播するように構成されたパルス化ダイオードレーザとを備え、
前記パルス化ダイオードレーザは、１０〜１００ミリ秒のパルス分離で１〜１０ミリ秒のパルス長を有する２〜２０パルスでアレイに電磁放射線を伝播するように構成される、
システム。
【請求項２】
前記キャビティは、溶融キャピラリを備える請求項１に記載のアレイ。
【請求項３】
前記電磁放射線吸収材料は、前記キャビティ内の粒子を備える請求項１に記載のシステム。
【請求項４】
前記アレイは、前記キャビティ間の電磁放射線の伝達を阻害するように取り扱われる請求項２に記載のシステム。
【請求項５】
前記アレイは、水素雰囲気中で還元された鉛ガラスを備える不透明材料で構築される請求項１に記載のシステム。
【請求項６】
前記パルス化ダイオードレーザは、キャビティの表面に関連付けられた材料に前記電磁放射線を伝播するように構成される請求項１に記載のシステム。
【請求項７】
前記アレイのキャビティから抽出した内容物を捕捉するために加熱可能捕捉面をさらに備える請求項１に記載のシステム。
【請求項８】
マイクロキャビティアレイのキャビティの内容物を抽出する方法であって、
前記キャビティに関連付けられた電磁放射線吸収材料にて、パルス化ダイオードレーザから電磁放射線を集束することを備え、
前記パルス化ダイオードレーザは、１０〜１００ミリ秒のパルス分離で１〜１０ミリ秒のパルス長を有する２〜２０パルスで前記アレイに電磁放射線を伝播する、
方法。
【請求項９】
前記レーザは、前記キャビティ内の液体と接触する前記材料の表面にて集束される請求項８に記載の方法。
【請求項１０】
前記レーザは、前記液体のメニスカスに配置された前記材料にて、前記電磁放射線の前記集束を方向付ける請求項９に記載の方法。
【請求項１１】
前記複数の個別キャビティは、開放第１端部と開放第２端部とを備え、
基本的にすべての前記複数のキャビティの前記開放第１端部は、集合的に、多孔質平面状親水性表面を備え、基本的にすべての前記複数のキャビティの前記開放第２端部は、多孔質平面状疎水性表面を備える請求項１に記載のシステム。
【請求項１２】
アレイであって、
（ａ）開放第１端部と開放第２端部とを備え、その基本的にすべての前記開放第１端部が、集合的に、第１多孔質平面状表面を備え、その基本的にすべての前記開放第２端部が、第２多孔質平面状表面を備える複数の個別キャビティと、
（ｂ）液体、栄養、及び試薬のうちの少なくとも１つを備える前記第１表面をカバーする吸収材マトリクスとを備えるアレイ。
【請求項１３】
前記カバーは、液体、栄養、及び試薬のうちの少なくとも１つを前記アレイの前記キャビティの内容物と交換するように構成される請求項１２に記載のアレイ。
【請求項１４】
関心対象の分子を生成するための関心対象の表現型を有する細胞について、複数の遺伝子型を有する細胞ライブラリをスクリーニングする方法であって、
（ａ）マイクロキャビティアレイに前記細胞ライブラリを投入することと、
（ｂ）前記関心対象の分子の生成を可能にする条件下において、前記アレイをインキュベートすることと、
（ｃ）前記関心対象の表現型を有する細胞を備えたキャビティを特定するために、前記アレイを撮像することと、
（ｄ）前記キャビティに関連付けられた放射線吸収材料におけるパルス化ダイオードレーザからの電磁放射線を方向付けることにより、前記関心対象の表現型を有する細胞を備えた前記キャビティの内容物を抽出することとを備える方法。
【請求項１５】
前記細胞は、前記アレイにおいて増加させられる請求項１４に記載の方法。
【請求項１６】
前記細胞は、哺乳類細胞、酵母細胞、及び細菌性細胞からなる群より選択される請求項１５に記載の方法。
【請求項１７】
第２世代細胞ライブラリを生成するために、前記キャビティの前記抽出された内容物を培養することと、
前記第２世代ライブラリでステップ（ａ）〜（ｄ）を反復することとをさらに備える請求項１６に記載の方法。
【請求項１８】
前記関心対象の表現型は、結合剤を生成する細胞を備える請求項１４に記載の方法。
【請求項１９】
前記結合剤は、細胞表面結合剤、抗体、抗体断片、リガンド、小分子、又は受容体である請求項１８に記載の方法。
【請求項２０】
前記関心対象の分子は、関心対象の放射強度と関心対象の放射スペクトルのうちの少なくとも１つを有する蛍光蛋白質を備える請求項１４に記載の方法。
【請求項２１】
前記関心対象の表現型は、酵素活性を有する蛋白質、酵素活性の阻害が欠如した蛋白質、及び酵素の阻害剤の存在下で活性を有する蛋白質である請求項１４に記載の方法。
【請求項２２】
蛍光蛋白質において関心対象の特性を設計する方法であって、
前記関心対象の特性は、放射スペクトル、放射強度、ストークスシフト、及び吸収スペクトルのうちの少なくとも１つを備え、
前記方法は、
蛍光蛋白質の突然変異体型を生成する細胞ライブラリを作成することと、
前記関心対象の特性を有する前記突然変異体型を生成する細胞のための前記ライブラリをスクリーニングすることとを備え、
前記スクリーニングの方法は、
（ａ）マイクロキャビティアレイに前記細胞ライブラリを投入することと、
（ｂ）前記突然変異体型の生成を可能にする条件下において、前記アレイをインキュベートすることと、
（ｃ）前記突然変異体型を生成する細胞を備えたキャビティを特定するために、前記アレイを撮像することと、
（ｄ）前記突然変異体型を生成する細胞を備えた前記キャビティの内容物を抽出することとを備える方法。
【請求項２３】
蛋白質酵素の突然変異体型を生成するために複数の遺伝子型を有する細胞ライブラリによって生成された蛋白質酵素ライブラリの構成員について、酵素反応速度を測定する方法であって、
（ａ）マイクロキャビティアレイに前記細胞ライブラリを投入することと、
（ｂ）関心対象の酵素の生成を可能にする条件下において、前記蛋白質酵素の基板の存在下で前記アレイをインキュベートすることと、
（ｃ）選択された間隔で前記アレイを撮像することと、
（ｄ）前記アレイの１つ以上のキャビティについて酵素活性の差異を測定することとを備え、
前記関心対象の表現型を有する細胞を備えたキャビティの内容物を抽出することをさらに備え、
前記抽出することは、前記キャビティに関連付けられた電磁放射線吸収材料にて電磁放射線を方向付けることを備える、
方法。
【請求項２４】
前記細胞ライブラリは、酵母細胞のライブラリ又は細菌性細胞のライブラリである請求項２３に記載の方法。
【請求項２５】
前記蛋白質酵素は、前記細胞の表面上に表示される請求項２４に記載の方法。
【請求項２６】
前記蛋白質酵素は、前記細胞によって分泌される請求項２４に記載の方法。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
シリンジ本体（８）と、プランジャーロッド（１５’、１５’’、１５’’’、１５’’’’）と、を備えるプレフィルドシリンジ（２０）であって、
前記シリンジ本体（８）は、医療用流体（１０）が充填され、キャップ（１１）によって閉鎖されるノズル（９）を前端部に備え、後端部は移動可能なプランジャー（１２）によって閉鎖され、
前記プランジャーロッド（１５’、１５’’、１５’’’、１５’’’’）は、前記後端部を介して前記シリンジ本体（８）に挿入可能であり、前端部には、該プランジャーロッド（１５’、１５’’、１５’’’、１５’’’’）を前記プランジャー（１２）に接続可能である接続部分（１）を有し、
前記シリンジ本体（８）の中のプランジャーロッド（１５’、１５’’、１５’’’、１５’’’’）をガイドする少なくとも３つの環状要素（２ａ、２ｂ、２ｃ）は、
前記プランジャーロッド（１５’、１５’’、１５’’’、１５’’’’）の長手方向軸の周りに少なくとも部分的に延在し、前記プランジャーロッド（１５’、１５’’、１５’’’、１５’’’’）の前記接続部分（１）の後端部に配置されており、前記プランジャーロッド（１５’、１５’’、１５’’’、１５’’’’）が前記プランジャー（１２）に完全に接続されると、前記少なくとも３つの環状要素（２ａ、２ｂ、２ｃ）が前記シリンジ本体内に位置するようになっている、プレフィルドシリンジ。
【請求項２】
請求項１に記載のプレフィルドシリンジ（２０）であって、前記プレフィルドシリンジ本体（８）内の前記プランジャー（１２）の位置及び前記プランジャーロッド（１５’、１５’’、１５’’’、１５’’’’）における前記３つの環状要素（２ａ、２ｂ、２ｃ）の前記位置は、第１のステップにおいて、前記プランジャーロッド（１５’、１５’’、１５’’’、１５’’’’）がその接続部分（１）によって前記プランジャー（１２）に配置される場合、前記前方の２つのリング（２ａ、２ｂ）が、前記シリンジ本体（８）の前記内部に配置されるように互いに整合していることを特徴とする、プレフィルドシリンジ。
【請求項３】
請求項１又は２に記載のプレフィルドシリンジ（２０）であって、前記３つの環状要素（２ａ、２ｂ、２ｃ）の外径（Ｄ）は、前記シリンジ本体（８）の内径と同一であるか又は前記シリンジ本体（８）の内径よりもいくらか小さいことを特徴とする、プレフィルドシリンジ。
【請求項４】
請求項１〜３のいずれか１項に記載のプレフィルドシリンジ（２０）であって、前記３つの環状要素（２ａ、２ｂ、２ｃ）の前記外径（Ｄ）は同一であることを特徴とする、プレフィルドシリンジ。
【請求項５】
請求項１〜４のいずれか１項に記載のプレフィルドシリンジ（２０）であって、径方向外方に延在するとともに好ましくは前記環状要素（２ａ、２ｂ、２ｃ）をともに接続するウイング要素（３ａ、３ｂ）が、前記プランジャーロッド（１５’、１５’’、１５’’’、１５’’’’）の前記周囲にわたって、好ましくは個別に、前記環状要素（２ａ、２ｂ、２ｃ）間に分散されて配置されることを特徴とする、プレフィルドシリンジ。
【請求項６】
請求項１〜５のいずれか１項に記載のプレフィルドシリンジ（２０）であって、少なくとも４つのウイング要素（３ａ、３ｂ）が、好ましくは互いに対して９０度の角度で、特に個別に、前記環状要素（２ａ、２ｂ、２ｃ）間に配置されることを特徴とする、プレフィルドシリンジ。
【請求項７】
請求項１〜６のいずれか１項に記載のプレフィルドシリンジ（２０）であって、前記ウイング要素（３ａ、３ｂ）は、前記シリンジ本体（８）の前記内径と同一であるか又は前記シリンジ本体（８）の前記内径よりもいくらか小さい外径（ＤＦ）を有することを特徴とする、プレフィルドシリンジ。
【請求項８】
請求項１〜７のいずれか１項に記載のプレフィルドシリンジ（２０）であって、前記ウイング要素（３ａ、３ｂ）は、前記環状要素（２ａ、２ｂ、２ｃ）の前記外径（Ｄ）と同一の外径（ＤＦ）を有することを特徴とする、プレフィルドシリンジ。
【請求項９】
請求項１〜８のいずれか１項に記載のプレフィルドシリンジ（２０）であって、前記ウイング要素（３ａ、３ｂ）は、前記環状要素（２ａ、２ｂ、２ｃ）の外径（Ｄ）よりも小さい外径（ＤＦ）を有することを特徴とする、プレフィルドシリンジ。
【請求項１０】
請求項１〜９のいずれか１項に記載のプレフィルドシリンジ（２０）であって、前記ウイング要素（３ａ、３ｂ）の前記外径（ＤＦ）は、前記環状要素（２ａ、２ｂ、２ｃ）の前記外径（Ｄ）に対して１ｍｍ〜１０ｍｍ、好ましくは４ｍｍ〜８ｍｍ低減されていることを特徴とする、プレフィルドシリンジ。
【請求項１１】
請求項１〜１０のいずれか１項に記載のプレフィルドシリンジ（２０）であって、前記プランジャーロッド（１５’、１５’’、１５’’’、１５’’’’）は、前記プランジャー（１２）に予め取り付けられることを特徴とする、プレフィルドシリンジ。
【請求項１２】
請求項１〜１１のいずれか１項に記載のプレフィルドシリンジ（２０）であって、前記プランジャーロッド（１５’、１５’’、１５’’’、１５’’’’）は、好ましくは酸素不透過性の外装内に、前記シリンジ本体（８）と並べて入れられることを特徴とする、プレフィルドシリンジ。
【請求項１３】
請求項１〜１２のいずれか１項に記載の前記シリンジ（２０）を気密封入する内部を有する、酸素不透過性の外装。
【請求項１４】
請求項１〜１２のいずれか１項に記載のプレフィルドシリンジ（２０）用のプランジャーロッド（１５’、１５’’、１５’’’、１５’’’’）であって、該プランジャーロッド（１５’、１５’’、１５’’’、１５’’’’）をプランジャー（１２）に接続可能である前端部の接続部分（１）を備え、
前記シリンジ本体（８）の中のプランジャーロッド（１５’、１５’’、１５’’’、１５’’’’）をガイドする少なくとも３つの環状要素（２ａ、２ｂ、２ｃ）は、
該プランジャーロッド（１５’、１５’’、１５’’’、１５’’’’）の長手方向軸の周りに少なくとも部分的に延在し、０．５ｍｍ≦Ｒ≦２０ｍｍ、好ましくは１ｍｍ≦Ｒ≦１０ｍｍである距離Ｒを置いて配置され、前記接続部分（１）の後端部に配置されている、プランジャーロッド。
【請求項１５】
シリンジ本体（８）と、プランジャー（１２）と、請求項１４に記載のプランジャーロッド（１５’、１５’’、１５’’’、１５’’’’）とを備えるシリンジ（２０）であって、前記プランジャー（１２）は、前記シリンジ本体（８）内に位置決め可能であり、前記３つの環状要素（２ａ、２ｂ、２ｃ）は、前記プランジャーロッド（１５’、１５’’、１５’’’、１５’’’’）に配置されており、前記プランジャーロッド（１５’、１５’’、１５’’’、１５’’’’）が前記プランジャー（１２）に完全に接続されると、前記３つの環状要素（２ａ、２ｂ、２ｃ）が前記シリンジ本体（８）内に位置するようになっており、特に、前記シリンジ本体（８）には医療用流体（１０）が事前充填される、シリンジ。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
トランスサイレチンを特異的に結合し、配列番号１の３つの重鎖ＣＤＲと、例外的にＬ５５位がＣまたはＳであり得る配列番号９の３つの軽鎖ＣＤＲとを含む、抗体。
【請求項２】
例外的にＬ５５位がＣまたはＳであり得る抗体５Ａ１のそれぞれ配列番号６〜８である３つのＫａｂａｔ重鎖ＣＤＲと、それぞれ配列番号１４、１５、および１７である３つの軽鎖ＣＤＲとを含む、請求項１に記載の抗体。
【請求項３】
前記重鎖ＣＤＲ−Ｈ１が、配列番号５２のＫａｂａｔ−Ｃｈｏｔｈｉａ  ＣＤＲ−Ｈ１複合体である、請求項１または２に記載の抗体。
【請求項４】
キメラ抗体、ヒト化抗体、ベニヤ化（ｖｅｎｅｅｒｅｄ）抗体、またはヒト抗体である、請求項１〜３のいずれか１項に記載の抗体。
【請求項５】
ヒトＩｇＧ１アイソタイプを有する、請求項１〜４のいずれか１項に記載の抗体。
【請求項６】
ヒトＩｇＧ２アイソタイプまたはヒトＩｇＧ４アイソタイプを有する、請求項１〜５のいずれか１項に記載の抗体。
【請求項７】
配列番号４または５に少なくとも９０％同一のアミノ酸配列を有するヒト化成熟重鎖可変領域と配列番号１２または１３に少なくとも９０％同一のアミノ酸配列を有するヒト化成熟軽鎖可変領域とを含む、請求項４に記載のヒト化抗体。
【請求項８】
以下に挙げる位置のすべてが指定のアミノ酸によって占められている、すなわち、Ｈ２９位がＦによって占められ、Ｌ５５位がＳによって占められ、かつＬ８５位がＶによって占められている、請求項７に記載のヒト化抗体。
【請求項９】
配列番号４または５に少なくとも９８％同一のアミノ酸配列を有する成熟重鎖可変領域と配列番号１２または１３に少なくとも９８％同一のアミノ酸配列を有する成熟軽鎖可変領域とを含む、請求項７〜８のいずれか１項に記載のヒト化抗体。
【請求項１０】
配列番号４の成熟重鎖可変領域と配列番号１２の成熟軽鎖可変領域、配列番号４の成熟重鎖可変領域と配列番号１３の成熟軽鎖可変領域、配列番号５の成熟重鎖可変領域と配列番号１２の成熟軽鎖可変領域、または配列番号５の成熟重鎖可変領域と配列番号１３の成熟軽鎖可変領域を含む、請求項４に記載のヒト化抗体。
【請求項１１】
結合フラグメントである、請求項１〜１０のいずれか１項に記載の抗体。
【請求項１２】
前記結合フラグメントが一本鎖抗体フラグメント、Ｆａｂフラグメント、またはＦａｂ’２フラグメントである、請求項１１に記載の抗体。
【請求項１３】
前記成熟軽鎖可変領域が軽鎖定常領域に融合されかつ前記成熟重鎖可変領域が重鎖定常領域に融合される、請求項６〜１０のいずれか１項に記載のヒト化抗体。
【請求項１４】
前記重鎖定常領域が天然ヒト重鎖定常領域に比してＦｃγ受容体への低下した結合を有する前記天然ヒト重鎖定常領域の変異体である、請求項１３に記載のヒト化抗体。
【請求項１５】
前記重鎖定常領域がＩｇＧ１アイソタイプのものである、請求項１３または１４に記載のヒト化抗体。
【請求項１６】
前記成熟重鎖可変領域が配列番号２３の配列を有する重鎖定常領域に融合されかつ／または前記成熟軽鎖可変領域が配列番号２５の配列を有する軽鎖定常領域に融合される、請求項１５に記載のヒト化抗体。
【請求項１７】
請求項１〜１６のいずれか１項に記載の抗体と薬学的に許容される担体とを含む、医薬組成物。
【請求項１８】
請求項１〜１７のいずれか１項に記載の抗体の重鎖および／または軽鎖をコードする核酸、前記核酸を含む組換え発現ベクター、または前記組換え発現ベクターで形質転換された宿主細胞。
【請求項１９】
抗体をヒト化する方法であって、
（ａ）アクセプター抗体を選択することと、
（ｂ）保持されるべきマウス抗体のアミノ酸残基を特定することと、
（ｃ）前記マウス抗体の重鎖のＣＤＲを含むヒト化重鎖をコードする核酸および前記マウス抗体の軽鎖のＣＤＲを含むヒト化軽鎖をコードする核酸を合成することと、
（ｄ）前記核酸を宿主細胞内で発現させてヒト化抗体を作製することと
を含み、前記マウス抗体が配列番号１のアミノ酸配列を有する重鎖可変領域と配列番号９のアミノ酸配列を有する軽鎖可変領域とを含む、方法。
【請求項２０】
トランスサイレチンの凝集を阻害または軽減するため、トランスサイレチン原線維形成を阻害または軽減するため、トランスサイレチン沈着物を減少させるため、凝集トランスサイレチンを除去するため、トランスサイレチンの非毒性立体構造を安定化させるため、トランスサイレチン介在性のアミロイドーシスを治療または効果的に予防するため、またはトランスサイレチン介在性のアミロイドーシスの発症を遅らせるための、請求項１〜１６のいずれか１項に記載の抗体を含む、医薬組成物。
【請求項２１】
対象中でトランスサイレチン介在性のアミロイドーシスを診断するｉｎ  ｖｉｔｒｏの方法であって、前記対象由来の生体試料を有効量の請求項１〜１６のいずれか１項に記載の抗体と接触させることを含む、方法。
【請求項２２】
前記生体試料および／または前記対照試料が血液、血清、血漿、または固形組織である、請求項２１に記載の方法。
【請求項２３】
前記固形組織が心臓、末梢神経系、自律神経系、腎臓、眼球、または消化管由来である、請求項２２に記載の方法。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
動物飼料のための脂肪酸組成物であって、
前記脂肪酸組成物が脂肪酸成分及び界面活性剤成分を含み、
前記脂肪酸成分が、少なくとも５０質量％の遊離パルミチン酸を含み、
前記界面活性剤成分と前記脂肪酸成分との質量／質量比率が、約１：１００〜約１：１であり、
前記脂肪酸組成物が４０℃以上で融解し、
前記脂肪酸成分が４５以下のヨウ素価を有し、
前記脂肪酸組成物が、プリル化された固体ビーズ又は固体フレークとして成形される、
脂肪酸組成物。
【請求項２】
前記固体ビーズが外部層及び内部コアを含み、前記外部層中の前記界面活性剤成分のパーセンテージが、前記内部コア中の前記界面活性剤成分のパーセンテージと実質的に同じであるか、前記内部コア中の前記界面活性剤成分のパーセンテージより高いか、又は前記内部コア中の前記界面活性剤成分のパーセンテージ未満である、請求項１に記載の脂肪酸組成物。
【請求項３】
前記固体ビーズが外部層及び内部コアを含み、前記外部層中の前記脂肪酸成分が、前記内部コア中の前記脂肪酸成分と異なる、請求項１に記載の脂肪酸組成物。
【請求項４】
前記脂肪酸組成物が、栄養剤又はキャリアをさらに含み、前記キャリアが多孔性キャリア材料を含む、請求項１に記載の脂肪酸組成物。
【請求項５】
前記栄養剤が、抗酸化剤、生物活性剤、香味剤、着色剤、糖原性前駆体、ビタミン、ミネラル、アミノ酸、微量元素、又はそれらの誘導体を含む、請求項４に記載の脂肪酸組成物。
【請求項６】
前記生物活性剤が、プレバイオティクス剤、プロバイオティクス剤、又は抗微生物剤を含む、請求項５に記載の脂肪酸組成物。
【請求項７】
前記界面活性剤成分が、レシチン、大豆レシチン、セファリン、ヒマシ油エトキシレート、ソルビタンモノ−、ジ−、又はトリオレアート、ポリソルビタンモノ−、ジ−又はトリオレアート、タローエトキシレート、ラウリン酸、ポリエチレングリコール、カルシウムステアロイルジラクテート、グリセロールエステル、ポリグリセロールエステル、ソルビタンエステル、ポリソルビタンエステル、ポリエチレングリコールエステル、糖エステル、モノ−、ジ−、又はトリグリセリド、アセチル化モノグリセリド、乳酸化モノグリセリド、又はそれらの誘導体、ポリオキシエチレンステアレート、ポリソルベート、ポリオキシエチレンソルビタンモノラウレート、ポリオキシエチレンソルビタンモノオレアート、ポリオキシエチレンソルビタンモノパルミテート、ポリオキシエチレンソルビタンモノステアレート、ポリオキシエチレンソルビタントリステアレート、アンモニウムホスファチド、脂肪酸のナトリウム塩又はカリウム塩又はカルシウム塩、脂肪酸のマグネシウム塩、脂肪酸のモノグリセリド及びジグリセリド、脂肪酸のモノグリセリド及びジグリセリドの酢酸エステル、脂肪酸のモノグリセリド及びジグリセリドの乳酸エステル、脂肪酸のモノグリセリド及びジグリセリドのクエン酸エステル、脂肪酸のモノグリセリド及びジグリセリドのモノアセチル酒石酸エステル及びジアセチル酒石酸エステル、脂肪酸のモノグリセリド及びジグリセリドの酢酸エステル、脂肪酸のモノグリセリド及びジグリセリドの酒石酸エステル、脂肪酸のスクロースエステル、スクログリセリド、脂肪酸のポリグリセロールエステル、ポリグリセロールポリリシノレエート、脂肪酸のプロパン−１，２−ジオールエステル、脂肪酸のモノグリセリド及びジグリセリドと相互作用した熱酸化大豆油、ナトリウムステアロイル−２−ラクチラート、カルシウムステアロイル−２−ラクチラート、ソルビタンモノステアレート、ソルビタントリステアレート、ソルビタンモノラウレート、ソルビタンモノオレアート、ソルビタンモノパルミテート、ポリソルベート２０、ポリソルベート４０、ポリソルベート６０、又はそれらの誘導体を含む、請求項１に記載の脂肪酸組成物。
【請求項８】
前記脂肪酸のナトリウム塩又はカリウム塩又はカルシウム塩が、蒸留パーム脂肪酸のナトリウム塩又はカリウム塩又はカルシウム塩を含む、請求項７に記載の脂肪酸組成物。
【請求項９】
前記界面活性剤成分が、オレイン酸由来の界面活性剤、オレイン酸エステル由来の非イオン界面活性剤、又はオレイン酸由来のイオン界面活性剤を含む、請求項１に記載の脂肪酸組成物。
【請求項１０】
前記脂肪酸成分が、少なくとも９５質量％のパルミチン酸を含む、請求項１に記載の脂肪酸組成物。
【請求項１１】
前記脂肪酸成分がステアリン酸を含む、請求項１に記載の脂肪酸組成物。
【請求項１２】
前記脂肪酸成分がオレイン酸化合物を含み、前記オレイン酸化合物が、遊離オレイン酸、オレイン酸エステル、オレイン酸のモノ−、ジ−又はトリグリセリド、高オレイン酸油、又はそれらの組み合わせを含み、前記高オレイン酸油が、４０質量％以上のオレイン酸含量を有する、請求項１に記載の脂肪酸組成物。
【請求項１３】
前記脂肪酸成分が、約１質量％〜約４０質量％のキャノーラ油を含む、請求項１に記載の脂肪酸組成物。
【請求項１４】
動物飼料のための脂肪酸組成物を作製するための方法であって、
脂肪酸成分を界面活性剤成分と混ぜ合わせて、脂肪酸組成物を提供するステップ；
前記脂肪酸組成物を加熱して液体状にするステップ；及び
前記脂肪酸組成物を固体ビーズにプリル化するステップ
を含む、方法。
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
リアクトル（１２）と、該リアクトル（１２）に接続される少なくとも第１及び第２の吸収回路（１４，１６）とを備えた変換器フィルタであって、
前記リアクトル（１２）が、少なくとも主巻線（２４）と部分巻線（２６）とを含み、
前記第１及び第２の吸収回路（１４、１６）が、前記リアクトル（１２）の前記部分巻線（２６）のインダクタンスにより互いにデカップリングされ、
前記吸収回路（１４，１６）のデカップリングが前記リアクトル（１２）自身の前記部分巻線（２６）により達成され、
前記部分巻線（２６）と１：１変圧器を構成し、前記部分巻線（２６）のインダクタンスにより給電される補助巻線（２８）が、前記リアクトル（１２）に結合されており、
該補助巻線（２８）は、前記部分巻線（２６）の出力側に接続され、そして、前記第１の吸収回路（１４）が前記補助巻線（２８）に接続されると共に前記第２の吸収回路（１６）が前記部分巻線（２６）の出力側に接続されている、変換器フィルタ。
【請求項２】
前記補助巻線（２８）が、前記リアクトル（１２）の出力側からの導体の戻し巻きにより得られたものである、請求項１に記載の変換器フィルタ。
【請求項３】
前記補助巻線（２８）が、空隙とクリープ長を確保するために巻線とリアクトルコアとの間に通常空けてある前記リアクトル（１２）の巻線スペース内に配置されている、請求項１又は２に記載の変換器フィルタ。
【請求項４】
請求項１〜３のいずれか１項に記載の変換器フィルタ（１０）が変換器の入力側で幹線側フィルタとして機能する回路又は電気機器。
【請求項５】
請求項１〜３のいずれか１項に記載の変換器フィルタ（１０）が変換器の出力側で出力フィルタとして機能する回路又は電気機器。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
電力を生成するための発電機であって、前記発電機は充電状態を有する第１の素子及び第２の素子を備え、前記第１の素子及び前記第２の素子が前記充電状態を含むときに電力を生成するために前記第１の素子及び前記第２の素子が互いに対して移動可能であり、前記第１の素子及び前記第２の素子が互いに接触及び接触解除されるように構成される、発電機と、
前記第１の素子及び前記第２の素子を接触及び接触解除させるための駆動機構と、を備えるシステムであって、
前記システムは、
前記第１の素子及び前記第２の素子が、前記充電状態を変更するために接触する充電モードと、前記第１の素子及び前記第２の素子が接触解除されている発電モードとで動作される、システムにおいて、
前記システムは、
前記充電状態を判断するためのデバイスと、
コントローラと、をさらに備え、
前記コントローラが、
前記充電状態に応じて前記充電モードのタイミング及び／若しくは期間を制御するか、又は
前記充電状態に応じて前記充電モードのタイミング及び／若しくは期間を制御する際に使用する情報を出力することを特徴とする、システム。
【請求項２】
前記充電状態を判断するための前記デバイスが、前記発電機の出力信号を受信するための比較回路を備える、請求項１に記載のシステム。
【請求項３】
前記比較回路が、シュミットトリガ回路を備える、請求項２に記載のシステム。
【請求項４】
前記第１の素子及び前記第２の素子が、互いに対して回転可能な第１のディスク素子及び第２のディスク素子を備える、請求項１乃至３のいずれか一項に記載のシステム。
【請求項５】
前記第１の素子及び前記第２の素子が、前記発電モードで特定の値に固定される移動距離で、互いに対して移動可能である、請求項１乃至４のいずれか一項に記載のシステム。
【請求項６】
前記駆動機構が、前記第１のディスク素子及び／又は前記第２のディスク素子の表面上に形成される、１つ又は複数の螺旋状パターントポグラフィ特徴を備え、前記螺旋状パターントポグラフィ特徴が、回転に応じて前記第１の素子と前記第２の素子との間の距離を生成する、請求項４に記載のシステム。
【請求項７】
前記第１の素子と前記第２の素子との間の相対運動を発生させるためのモータユニットをさらに備える、請求項１乃至６のいずれか一項に記載のシステム。
【請求項８】
前記コントローラが、前記モータユニットへの駆動入力電圧を制御するため、前記モータユニットに接続されたモータコントローラ回路を備える、請求項７に記載のシステム。
【請求項９】
前記駆動機構が、メカトロニクス作動素子を備える、請求項１乃至８のいずれか一項に記載のシステム。
【請求項１０】
前記コントローラが、メカトロニクス作動制御回路を備える、請求項９に記載のシステム。
【請求項１１】
前記コントローラが、ユーザからのコマンドを受信するためのユーザ入力モジュールを備える、請求項１乃至１０のいずれか一項に記載のシステム。
【請求項１２】
前記コントローラが、前記充電モードの前記タイミング及び／又は前記期間を手動で制御する際に使用する情報をユーザに出力するためのユーザ出力モジュールを備える、請求項１１に記載のシステム。
【請求項１３】
電力を生成するための発電機を動作させる方法であって、前記発電機が第１の素子及び第２の素子を備え、前記第１の素子及び前記第２の素子が、充電状態を有し、前記電力を生成するために互いに対して移動可能であり、前記第１の素子及び前記第２の素子が、互いに接触及び接触解除されるように構成され、前記方法は、
前記充電状態を変更するために前記第１の素子及び前記第２の素子が接触する充電モードと、前記第１の素子及び前記第２の素子が接触解除する非充電モードとを実現するように、前記第１の素子及び前記第２の素子を接触及び接触解除させるステップを含む、方法において、
前記方法はまた、
前記充電状態を判断するステップと、
前記充電状態に応じて前記充電のタイミング及び／若しくは期間を制御するステップか、又は、代替的に、
前記充電状態に応じて前記充電モードのタイミング及び／若しくは期間を制御する際に使用する情報を出力するステップと、を含むことを特徴とする、方法。
【請求項１４】
前記第１の素子及び前記第２の素子は、前記発電機の出力電圧が下側閾値より上から前記下側閾値より下に低下することに応答して接触され、前記第１の素子及び前記第２の素子が、前記発電機の出力電圧が上側閾値より下から前記上側閾値より上に上昇することに応答して接触解除される、請求項１３に記載の方法。
【請求項１５】
前記第１の素子及び前記第２の素子が、メカトロニクス制御素子によって接触及び／又は接触解除される、請求項１３又は１４に記載の方法。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
サイトメガロウイルス（ＣＭＶ）ベクターであって：
（１）少なくとも１つの異種抗原をコードする第１の核酸配列と；
（２）少なくとも１つの活性のあるＵＬ４０タンパク質、またはそのオーソログもしくはホモログをコードする第２の核酸配列と；
（３）少なくとも１つの活性のあるＵＳ２８タンパク質、またはそのオーソログもしくはホモログをコードする第３の核酸配列と、を含み；
前記ＣＭＶベクターが、活性のあるＵＬ１２８タンパク質、またはそのオーソログを発現せず、かつ活性のあるＵＬ１３０タンパク質、またはそのオーソログを発現しないことを特徴とするサイトメガロウイルス（ＣＭＶ）ベクター。
【請求項２】
少なくとも１つの異種抗原をコードする核酸配列を含むＣＭＶベクターであって、前記ＣＭＶベクターが、
（１）活性のあるＵＬ１２８タンパク質、またはそのオーソログを発現せず、
（２）活性のあるＵＬ１３０タンパク質、またはそのオーソログを発現せず、かつ
（３）ＵＬ４０またはＵＳ２８、またはそのオーソログから選択される活性のあるタンパク質を発現しない
ことを特徴とするＣＭＶベクター。
【請求項３】
前記少なくとも１つの異種抗原が、病原体特異的抗原、腫瘍抗原、組織特異的抗原、または宿主自己抗原を含むことを特徴とする請求項１〜２のいずれか１項に記載のＣＭＶベクター。
【請求項４】
前記病原体特異的抗原が、ヒト免疫不全ウイルス、サル免疫不全ウイルス、単純ヘルペスウイルス、Ｂ型肝炎ウイルス、Ｃ型肝炎ウイルス、パピローマウイルス、プラスモディウム属寄生虫、および結核菌からなる群から選択される病原体に由来することを特徴とする請求項３に記載のＣＭＶベクター。
【請求項５】
前記ＣＭＶベクターが、生体内での成長に必須であるか、必須でないか、またはそれを増強するウイルスタンパク質をコードする１つまたは複数のウイルス遺伝子において少なくとも１つの不活性化変異をさらに含むことを特徴とする請求項１〜４のいずれか一項に記載のＣＭＶベクター。
【請求項６】
生体内での成長に必須であるか、必須でないか、またはそれを増強するウイルスタンパク質をコードする前記ウイルス遺伝子がＵＬ８２（ｐｐ７１）またはＵＳ１１であることを特徴とする請求項５に記載のＣＭＶベクター。
【請求項７】
前記ＣＭＶベクターが、ヒトＣＭＶ（ＨＣＭＶ）ベクターまたはアカゲザルＣＭＶ（ＲｈＣＭＶ）ベクターであることを特徴とする請求項１〜６のいずれか一項に記載のＣＭＶベクター。
【請求項８】
対象において少なくとも１つの異種抗原に対する免疫応答を生成する方法であって、前記対象に請求項１、３〜７のいずれか一項に記載のＣＭＶベクターを、前記対象において第１の異種抗原に対するＣＤ８＋Ｔ細胞応答を誘発するのに有効な量で投与することを含むことを特徴とする方法。
【請求項９】
前記ＣＭＶベクターによって誘発されたＣＤ８＋Ｔ細胞の少なくとも１０％が、ＭＨＣ−Ｅ、またはそのオーソログによって拘束されることを特徴とする請求項８に記載の方法。
【請求項１０】
対象において少なくとも１つの異種抗原に対する免疫応答を生成する方法であって、前記対象に請求項２〜７のいずれか一項に記載のＣＭＶベクターを、前記対象において前記少なくとも１つの異種抗原に対するＣＤ８＋Ｔ細胞応答を誘発するのに有効な量で投与することを含む、方法。
【請求項１１】
前記ＣＭＶベクターによって誘発された前記ＣＤ８＋Ｔ細胞の１％未満が、ＭＨＣ−Ｅによって拘束されることを特徴とする請求項１０に記載の方法。
【請求項１２】
第２のＣＭＶベクターを前記対象に投与することをさらに含み、前記第２のＣＭＶベクターが、少なくとも１つの異種抗原をコードする核酸配列を含むことを特徴とする請求項８〜１１のいずれか一項に記載の方法。
【請求項１３】
前記第２のＣＭＶベクターが、活性のあるＵＬ１２８タンパク質を発現することを特徴とする請求項１２に記載の方法。
【請求項１４】
前記第２のＣＭＶベクターが、活性のあるＵＬ１３０タンパク質を発現することを特徴とする請求項１２または１３に記載の方法。
【請求項１５】
ＭＨＣ−Ｅ−ペプチド複合体を認識するＣＤ８＋Ｔ細胞を生成する方法であって、
（１）対象に請求項１、３〜７のいずれか一項に記載のＣＭＶベクターを、ＭＨＣ−Ｅ／ペプチド複合体を認識する一組のＣＤ８＋Ｔ細胞を生成するのに有効な量で投与する工程と；
（２）前記ＣＤ８＋Ｔ細胞の組から第１のＣＤ８＋ＴＣＲを同定する工程であって、前記第１のＣＤ８＋ＴＣＲが、ＭＨＣ−Ｅ／異種抗原由来ペプチド複合体を認識する工程と；
（３）１つまたは複数のＣＤ８＋Ｔ細胞を前記対象から単離する工程と；
（４）前記１つまたは複数のＣＤ８＋Ｔ細胞に発現ベクターをトランスフェクトする工程であって、前記発現ベクターが、第２のＣＤ８＋ＴＣＲをコードする核酸配列、および前記第２のＣＤ８＋ＴＣＲをコードする前記核酸配列と動作可能に連結されたプロモーターを含み、前記第２のＣＤ８＋ＴＣＲが、前記第１のＣＤ８＋ＴＣＲのＣＤＲ３αおよびＣＤＲ３βを含み、それによりＭＨＣ−Ｅ／異種抗原由来ペプチド複合体を認識する１つまたは複数のトランスフェクトされたＣＤ８＋Ｔ細胞を生成する工程と；
を含むことを特徴とする方法。
【請求項１６】
ＭＨＣ−Ｅ−ペプチド複合体を認識するＣＤ８＋Ｔ細胞を生成する方法であって、
（１）第１の対象に請求項１、３〜７のいずれか一項に記載のＣＭＶベクターを、ＭＨＣ−Ｅ／ペプチド複合体を認識する一組のＣＤ８＋Ｔ細胞を生成するのに有効な量で投与する工程と；
（２）前記ＣＤ８＋Ｔ細胞の組から第１のＣＤ８＋ＴＣＲを同定する工程であって、前記第１のＣＤ８＋ＴＣＲが、ＭＨＣ−Ｅ／異種抗原由来ペプチド複合体を認識する工程と；
（３）１つまたは複数のＣＤ８＋Ｔ細胞を第２の対象から単離する工程と；
（４）前記１つまたは複数のＣＤ８＋Ｔ細胞に発現ベクターをトランスフェクトする工程であって、前記発現ベクターが、第２のＣＤ８＋ＴＣＲをコードする核酸配列、および前記第２のＣＤ８＋ＴＣＲをコードする前記核酸配列と動作可能に連結されたプロモーターを含み、前記第２のＣＤ８＋ＴＣＲが、前記第１のＣＤ８＋ＴＣＲのＣＤＲ３αおよびＣＤＲ３βを含み、それによりＭＨＣ−Ｅ／異種抗原由来ペプチド複合体を認識する１つまたは複数のトランスフェクトされたＣＤ８＋Ｔ細胞を生成する工程と；
を含む、方法。
【請求項１７】
請求項１５〜１６のいずれか一項に記載の方法によって生成されたＣＤ８＋Ｔ細胞。
【請求項１８】
請求項１７に記載のＣＤ８＋Ｔ細胞を対象に投与することを含むことを特徴とする癌、病原性感染、または自己免疫疾患もしくは障害を治療する方法。
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
定量吸入器のキャニスタ用の凹み検出装置であって、
コンジットを備え、前記コンジットの幅は、前記キャニスタの最大許容直径に等しく、さらに、
キャニスタを、前記コンジットを通って移送するように配置された移送部と、
前記キャニスタが前記コンジットを通って移送される際に当該キャニスタの回転をもたらすように配置された回転構成と、を備え、
前記コンジット内での前記キャニスタの回転は、前記キャニスタの隆起を前記コンジットの壁に係合せしめる、ことを特徴とする装置。
【請求項２】
前記移送部は、第１コンベヤベルトである、請求項１に記載の装置。
【請求項３】
前記回転構成は、前記コンジットの内側面に設けられた第１部を備え、好ましくは、前記回転構成は、前記コンジットの前記第１部とは反対側の内側面に設けられた第２部を備え、
好ましくは、前記回転構成の前記第１部および前記第２部の少なくとも一方は、第２コンベヤベルトまたは複数のローラであり、または、前記コンジットの一方の内側面は、高い摩擦係数の表面仕上げを有するとともに、前記コンジットの反対側の内側面は、低い摩擦係数の表面仕上げを有する、請求項１または請求項２に記載の装置。
【請求項４】
前記移送部および前記回転構成は、キャニスタが前記移送部の速度と異なる速度で回転するように構成されている、及び／又は、前記回転構成は、前記キャニスタを前記コンジット内で、少なくとも３６０度、好ましくは少なくとも４２０度回転せしめるように配置されている、請求項１から請求項３のいずれか１項に記載の装置。
【請求項５】
前記コンジットへの入口に設けられたテーパー部を備え、好ましくは、前記回転構成は、前記テーパー部の内側面に沿ってのびている、請求項１から請求項４のいずれか１項に記載の装置。
【請求項６】
キャニスタが前記コンジット内で回転停止するかを検出するように構成されたセンサ構成を備え、好ましくは、前記センサ構成は、前記コンジットの長さに沿って配置された複数のセンサを備える、または、前記センサ構成は、前記コンジットの出口に配置された単一のセンサを備える、請求項１から請求項５のいずれか１項に記載の装置。
【請求項７】
キャニスタが前記コンジット内で回転停止したことを前記センサ構成が検出したときに通知を提供するように構成された通知部を備え、
好ましくは、前記通知部は、視覚デバイスを備え、より好ましくは、前記視覚デバイスは、スクリーンまたはライトを備え、または、前記通知部は、聴覚デバイスを備える、請求項１から請求項６のいずれか１項に記載の装置。
【請求項８】
定量吸入器のキャニスタの凹みを検出する方法であって、
前記定量吸入器の前記キャニスタを、チャネルを通って移動させるステップを備え、前記チャネルの幅は、前記キャニスタの最大許容直径に設定されており、さらに、
前記キャニスタを、当該キャニスタが前記チャネルを通って移動される間に回転させるステップと、
キャニスタが前記チャネル内で回転停止するときを検出するステップと、
キャニスタが前記チャネル内で回転停止するとき、通知を提供するステップと、を備える、ことを特徴とする方法。
【請求項９】
キャニスタを回転させる前記ステップは、前記キャニスタを前記チャネル内で少なくとも３６０度回転させ、好ましくは、キャニスタを回転させる前記ステップは、前記キャニスタを前記チャネル内で少なくとも４３２度回転させる、請求項８に記載の方法。
【請求項１０】
定量吸入器のキャニスタの欠陥を検出するための装置であって、
チャネルと、
前記チャネル内に位置されたキャニスタを回転させるように配置された回転機と、
キャニスタが前記チャネル内で回転停止するときを検出するように配置された検出器と、
キャニスタが前記チャネル内で回転停止するとき通信するように配置された通信部と、を備える、ことを特徴とする装置。
【請求項１１】
一対の対向する面を備え、当該一対の対向する面は、その間にチャネルを規定するとともに所定の間隔によって隔てられており、前記所定の間隔は、キャニスタの外直径に欠陥許容値を加えたものに等しい、請求項１０に記載の装置。
【請求項１２】
前記対向する面の一方または両方は、キャニスタが前記チャネルを通過する際に当該キャニスタを回転せしめるように構成されており、好ましくは、一方のまたは両方の面は、キャニスタの回転をもたらすように構成された可動部を備え、より好ましくは、前記可動部は、側面に組み込まれかつキャニスタが係合することとなるベルト、ローラ、バンド、またはコンベアの形式であり、
または、前記一対の対向する面は、キャニスタを回転せしめるために異なる摩擦係数を有する、請求項１１に記載の装置。
【請求項１３】
所定の制限より大きい欠陥を有するキャニスタが一方のガイド面に係合し、かつ、当該キャニスタの反対側が反対側のガイド面に係合し、それによって当該キャニスタが前記チャネルに沿って移動するのを妨げるように、一対の対向する面の間の前記所定の間隔は選択されている、及び／又は、キャニスタは、前記チャネルを通過する際に、少なくとも１回転、回転せしめられる、請求項１０から請求項１２のいずれか１項に記載の装置。
【請求項１４】
複数の定量吸入器を製造する方法であって、
定量吸入器の複数のキャニスタを準備するステップと、
請求項１から請求項７のいずれか１項に記載のデバイス、または、請求項８または請求項９に記載の方法、または、請求項１０から請求項１３のいずれか１項に記載の装置を用いて、前記複数のキャニスタの中から凹みを有するキャニスタを検出するステップと、
検出された凹みを有するキャニスタを処分するステップと、
残っているキャニスタを用いて複数の定量吸入器を組み立てるステップと、を備える、ことを特徴とする方法。